(57)【特許請求の範囲】
【請求項１】
内周面に母線に沿うタンブラー係止溝を形成した外筒と、この外筒と回転自在に嵌合し、所定の間隔を保って回転軸線方向に積層された複数の仕切部材を設けると共に、回転軸線に沿って鍵孔を貫通させた内筒とを有し、この内筒の仕切部材の間に形成された各スロットには、夫々鍵孔に挿通される合鍵の幅方向に摺動可能に案内され、上記タンブラー係止溝に係入する方向に付勢されたタンブラーを挿設し、各タンブラーの中央部には、上記鍵孔を包囲し得る大きさの鍵通し孔を夫々位置を違えて開口させ、この鍵通し孔の開口端縁と鍵孔に挿通された合鍵の鍵溝とを係合させて各タンブラーの端縁をシアーラインに整合させるようにしたものにおいて、上記タンブラー係止溝からほぼ９０度ずれた角度位置における外筒内周面の母線に沿ってカム溝を形成し、このカム溝に、内筒の母線に沿って延在し、内筒の外周部において半径方向に移動可能に案内されると共に、外側縁が外方に突出する方向に付勢されたロッキングバーを係合させ、一方、ロッキングバーの内側縁に対向するタンブラーの側端縁に解錠切欠を形成して、タンブラー群の夫々が鍵孔に挿通された合鍵の対応する鍵溝と係合したとき、各タンブラーの解錠切欠がロッキングバーの内側縁と整合するようにし、以て、合鍵を鍵孔に挿入したとき、各タンブラーの端縁をシアーラインに整合させると共に、ロッキングバーの内側縁を各タンブラーの解錠切欠に整合させるようにし、他方、鍵孔に合鍵を挿入しない状態で細い工具を鍵孔に差し込んでタンブラーを工具で動かすピッキング時、解錠切欠がロッキングバーの内側縁と整合したと勘違いさせるため、少なくとも１個のタンブラーの側端縁の、鍵孔に合鍵を挿入しない常態においてロッキングバーの内側縁と対向する部位、及び解錠切欠の間に、騙し切欠を形成したことを特徴とする複合シリンダ錠。
【発明の詳細な説明】
【０００１】
【発明の属する技術分野】
この発明は、複合シリンダ錠に係り、特に、所謂ピッキングを有効に防止することができる新規な複合シリンダ錠に関する。
【０００２】
【従来の技術】
本出願人は、先に、特願２００１−１６３２９４を以て、新規な複合シリンダ錠を提案した。
【０００３】
この複合シリンダ錠は、ディスクタンブラー錠にレバータンブラー錠（ロータリーディスクタンブラー錠）の作動原理を組込んだ複合シリンダ錠で、内周面に母線に沿うタンブラー係止溝を形成した外筒と、この外筒と回転自在に嵌合し、所定の間隔を保って回転軸線方向に積層された複数の仕切部材を設けると共に、回転軸線に沿って鍵孔を貫通させた内筒とを有し、この内筒の仕切部材の間に形成された各スロットには、夫々鍵孔に挿通される合鍵の幅方向に摺動可能に案内され、上記タンブラー係止溝に係入する方向に付勢されたタンブラーを挿設し、各タンブラーの中央部には、上記鍵孔を包囲し得る大きさの鍵通し孔を夫々位置を違えて開口させ、この鍵通し孔の開口端縁と鍵孔に挿通された合鍵の鍵溝とを係合させて各タンブラーの端縁をシアーラインに整合させるようにしたものにおいて、上記タンブラー係止溝からほぼ９０度ずれた角度位置における外筒内周面の母線に沿ってカム溝を形成し、このカム溝に、内筒の母線に沿って延在し、内筒の外周部において半径方向に移動可能に案内されると共に、外側縁が外方に突出する方向に付勢されたロッキングバーを係合させ、一方、ロッキングバーの内側縁に対向するタンブラーの側端縁に解錠切欠を形成して、タンブラー群の夫々が鍵孔に挿通された合鍵の対応する鍵溝と係合したとき、各タンブラーの解錠切欠がロッキングバーの内側縁と整合するようにし、他方、内筒が施錠角度位置にあるとき、ロッキングバーの内側縁とタンブラーの側端縁との間の隙間を極く小さくするようにしたことを特徴とするものである。
【０００４】
【発明が解決しようとする課題】
上記した構成の複合シリンダ錠は、従来のディスクタンブラー錠と比較して、格段に対ピッキング性能が向上することは確認された。
【０００５】
しかしながら、ロッキングバーの内側縁とタンブラーの側端縁との間の隙間を完全に０（ゼロ）にはできないこと、及び、タンブラー及びシリンダ錠を構成する部材の弾性変形等により、内筒にトルクを掛けると少し内筒が回動し、従来のものと比較して困難にはなったが完全にピッキング操作を不可能にできるものではない。
【０００６】
そこで、この発明は、上記した構造の複合シリンダ錠を改良し、更にピッキングを困難にする複合シリンダ錠を提案することを目的としている。
【０００７】
【課題を解決するための手段】
上記の目的を達成するため、この発明は、内周面に母線に沿うタンブラー係止溝を形成した外筒と、この外筒と回転自在に嵌合し、所定の間隔を保って回転軸線方向に積層された複数の仕切部材を設けると共に、回転軸線に沿って鍵孔を貫通させた内筒とを有し、この内筒の仕切部材の間に形成された各スロットには、夫々鍵孔に挿通される合鍵の幅方向に摺動可能に案内され、上記タンブラー係止溝に係入する方向に付勢されたタンブラーを挿設し、各タンブラーの中央部には、上記鍵孔を包囲し得る大きさの鍵通し孔を夫々位置を違えて開口させ、この鍵通し孔の開口端縁と鍵孔に挿通された合鍵の鍵溝とを係合させて各タンブラーの端縁をシアーラインに整合させるようにしたものにおいて、上記タンブラー係止溝からほぼ９０度ずれた角度位置における外筒内周面の母線に沿ってカム溝を形成し、このカム溝に、内筒の母線に沿って延在し、内筒の外周部において半径方向に移動可能に案内されると共に、外側縁が外方に突出する方向に付勢されたロッキングバーを係合させ、一方、ロッキングバーの内側縁に対向するタンブラーの側端縁に解錠切欠を形成して、タンブラー群の夫々が鍵孔に挿通された合鍵の対応する鍵溝と係合したとき、各タンブラーの解錠切欠がロッキングバーの内側縁と整合するようにし、以て、合鍵を鍵孔に挿入したとき、各タンブラーの端縁をシアーラインに整合させると共に、ロッキングバーの内側縁を各タンブラーの解錠切欠に整合させるようにし、他方、鍵孔に合鍵を挿入しない状態で細い工具を鍵孔に差し込んでタンブラーを工具で動かすピッキング時、解錠切欠がロッキングバーの内側縁と整合したと勘違いさせるため、少なくとも１個のタンブラーの側端縁の、鍵孔に合鍵を挿入しない常態においてロッキングバーの内側縁と対向する部位、及び解錠切欠の間に、騙し切欠を形成したことを特徴とする。
【０００８】
【実施例】
以下、図面を参照してこの発明の実施例について説明する。
図１において符号１は外筒を示し、この外筒１の内周面には、その母線方向に沿って、かつ外筒１の中心軸線に関して対称的な２ヵ所にタンブラー係止溝２、２が形成されている。
【０００９】
図１に示す係止溝２は、外筒１を貫通して外筒の外周面に開口する細長い切欠孔として形成されている。
【００１０】
上記外筒１の内孔には、内筒３が回転自在に嵌合している。図示の実施例における内筒３は、図面を明瞭にするため、例えば円柱体をその中心軸線に沿う複数箇所にフライスで切込みを入れた形状である。
【００１１】
そして、この内筒３は、切り残しという形態で、所定の間隔を保って中心軸線方向に積層された複数の仕切板４、４を有しており、また、内筒３の中心軸線に沿って鍵孔５が貫通している。
【００１２】
上記仕切板４、４の間に形成された複数のスロット６、６の夫々には、半月形の切り残し部分及び後述のピン１１、１１により、鍵孔５に挿通される合鍵７の幅方向（図１で左右方向）に移動可能に案内された細長い板状体の一方（下方）の側端縁にＬ字形の施錠片８を一体に結合し、全体の形状が十手形のタンブラー９が挿設されている。
【００１３】
これらのタンブラー９、９は、圧縮コイルばねとしてのタンブラーばね１０の弾力により、一端（図１に示すものは左端）がタンブラー係止溝２に係入される方向に付勢されている。
【００１４】
そして、各タンブラーの中央部には、図１に示すように、鍵孔５を包囲する大きさの鍵通し孔１１が夫々鍵幅方向において位置を違えて開口していて、鍵孔５に合鍵７が挿入されたとき、鍵通し孔の鍵幅方向における開口端縁と合鍵の側端縁に形成された鍵溝とを係合させて、各タンブラー９の端縁をシアーライン（内筒と外筒の接合部横断面線）に整合させるようにしている。
【００１５】
なお、図１において符号１２はピンを示し、これらのピン１２、１２は相互にかつ外筒１の中心軸線に平行で、内筒３を縦貫している。
【００１６】
これらのピン１２、１２は、タンブラー９を付勢する上記タンブラーばね１０のばね押えとして、また、タンブラー９の常態位置規制部材として、更にまた、タンブラー９の案内部材として機能する。
【００１７】
上記した構成は、従来周知のディスクタンブラー錠の構成であるが、この発明においては、上記の構成に加えて、所謂レバータンブラー錠（ロータリーディスクタンブラー錠）の構成を加えた複合シリンダ錠を構成している。
【００１８】
すなわち、前記タンブラー係止溝２からほぼ９０度ずれた角度位置における外筒内周面の母線に沿って、かつ外筒１の中心軸線に関して対称的な２ヵ所に横断面形状がＶ字形のカム溝１３、１３が形成されている。
【００１９】
なお、此でカム溝１３の角度位置を、外筒におけるカム溝底の角度位置に定める。
【００２０】
また、タンブラー係止溝２の角度位置を、外筒の中心軸Ｏを通り、タンブラー９の移動方向の線分が外筒と交わる位置をいうものと定義する。
【００２１】
そして、施錠状態（常態）における上記カム溝１３には、例えば内側（図１で上側）の横断面形状が凸字形で、下側がＶ字形のロッキングバー１４が係合している。
【００２２】
このロッキングバー１４は、内筒３のほぼ全長にわたってその母線に沿って延在する杆体で、図１及び図２に示すように、内筒の外周部にその母線に沿って形成された横断面逆凸字形のロッキングバー案内溝１５と係合して、内筒の半径方向に移動可能に案内されている。
【００２３】
また、内筒３の外端部及び内端部における仕切板４は他の仕切板より厚くなっており、この仕切板４のロッキングバー案内溝１５側からロッキングバーばね孔１６が内筒中心に向かって穿設されている（図２参照）。
【００２４】
このロッキングバーばね孔１６内には、圧縮コイルばねとしてのロッキングバーばね１７が収納されており、これらのロッキングバーばね１７、１７の弾力により、ロッキングバー１４の外側縁が外方に、すなわち、図１及び図２において下方に付勢されている。
【００２５】
一方、図１に示すように、タンブラー９の側端縁（図示の実施例では施錠片８の側端縁）に解錠切欠１８が形成されており、鍵孔５に合鍵７が挿入され、タンブラー９の端縁がシアーラインに整合したとき、ロッキングバー１４の内側縁がこの解錠切欠１８と整合するように、解錠切欠の形成位置が設定されている。
【００２６】
また、少なくとも１個のタンブラー９の側端縁の、鍵孔５に合鍵７を挿入しない常態（例えば施錠常態）においてロッキングバー１４の内側縁と対向する部位、及び解錠切欠１８の間に、例えば解錠切欠き１８と同幅の騙し切欠１９が形成されている。この騙し切欠き１９は浅いものであってもよい。
【００２７】
図示の実施例では、解錠切欠１８及び騙し切欠１９の間隔が小さいので、両者が干渉して一つの幅広の切欠となっているが、両者の間隔が大きいときには二つの独立した切欠となる。
【００２８】
上記のように構成されたこの発明の一実施例による複合シリンダ錠は、正規の合鍵を鍵孔に挿入したときには、図１に示すように、タンブラー９の両端がシアーラインに揃うと共に、ロッキングバー１４の内側縁が施錠片８の解錠切欠１８に係入可能に臨む位置に来る。
【００２９】
この状態で合鍵７を介して内筒３を回せば、一端をタンブラー係止  溝２に係止されていたタンブラー９は自由になるから内筒が回転できるようになる。
【００３０】
と同時に、外筒１と内筒３との相対回動により、カム溝１３とロッキングバー１４の外側縁との間に楔作用が生じ、ロッキングバー１４がカム溝１３から押出されるようにして内筒中心方向に移動する。
【００３１】
このとき、上記したようにロッキングバー１４の内側縁と施錠片の解錠切欠１８とは整合しているから、解錠切欠１８へのロッキングバー１４の進入という形態でロッキングバーとカム溝との相互作用が進み、ついにはロッキングバー１４の外側縁が外筒１の内周面に乗り上がる。
【００３２】
以降、ロッキングバー１４が１８０度回動してもう一つのカム溝１３に落込むまで内筒の回動が続き、このようにして内筒３が１８０度回動すると図示しない施錠機構が作動して例えば錠箱のデッドボルトをストライクから抜くので、その状態で合鍵を鍵孔から抜くと例えば解錠操作が完了する。
【００３３】
上記のように、この発明による複合シリンダ錠の作動は、外見上通常のディスクタンブラー錠と変るところは無い。
【００３４】
また、ロータリーディスクタンブラー機構を組込んだことにより鍵違いが増大するということもない。
【００３５】
しかしながら、この発明による複合シリンダ錠は、次に説明するように、所謂ピッキングを事実上不可能にする。
【００３６】
すなわち、ピッキングは、鍵孔５内に細い工具を差込んで例えば手前側から順にタンブラーを長さ方向に動かし、内筒３にトルクを掛けてロッキングバー１４の内側縁が解錠切欠１８に係入する際の感触を確かめつつタンブラーを解錠位置に揃えていく如くである。
【００３７】
ところが、この発明による複合シリンダ錠においては、図１に示すタンブラー９は施錠時左方に偏位しており、ピッキング時内筒３にトルクを掛けてロッキングバー１４の内側縁が切欠に入るときの感触を探りながらタンブラー９を右方に移動させる際、ロッキングバー１４の内側縁が騙し切欠１９に係入する感触を得たとき、解錠切欠１８に係入したと勘違いする。
【００３８】
そこで、少なくとも１個のタンブラー９を解錠位置に迄移動させず、タンブラー９の端部がタンブラー係止溝２に係入した状態に残すので、ピッキング操作後内筒を回そうとしても内筒３は回動せず、結局ピッキングは失敗する。
【００３９】
【発明の効果】
以上の説明から明らかなように、この発明は、複合シリンダ錠の少なくとも１個のタンブラーの側端縁の、鍵孔に合鍵を挿入しない常態においてロッキングバーの内側縁と対向する部位、及び解錠切欠の間に、騙し切欠を形成したから、ピッキング時ロッキングバーの内側縁をこの騙し切欠に整合させてしまい、したがってピッキングを不可能にすることができる、という所期の効果を奏する。
【００４０】
また、ロッキングバーと外筒のカム溝とがクリック装置を構成するから、合鍵を挿入するときの内筒の角度位置が厳密に定まり、内筒と外筒の遊動が無くなることと相俟て使用感が向上すると共に、タンブラーの端部とタンブラー係止溝との隙間も減じることができ、タンブラー錠としての精度を向上させることができる、等種々の効果を奏する。
【図面の簡単な説明】
【図１】この発明の一実施例による複合シリンダ錠のスロット部分の横断面図。
【図２】図１と同様の仕切板部分の横断面図。
【符号の説明】
１  外筒
２  タンブラー係止溝
３  内筒
４  仕切板
５  鍵孔
６  スロット
７  合鍵
８  施錠片
９  タンブラー
１０  タンブラーばね
１１  鍵通し孔
１２  ピン
１３  カム溝
１４  ロッキングバー
１５  ロッキングバー案内溝
１６  ロッキングバーばね孔
１７  ロッキングバーばね
１８  解錠切欠
１９  騙し切欠
【図１】
0004742461.tif 000002
【図２】
0004742461.tif 000003